(57)【特許請求の範囲】
【請求項１】
通信回線に送出すべき通信データを出力するファクシミリ通信データ出力手段と、記録すべきプリンタデータを出力するプリンタデータ出力手段と、を備えた情報処理装置であって、
使用者によって送信指示またはプリント指示がなされた場合に、前記ファクシミリ通信データ出力手段によって通信データの出力が行われている最中であるか否かを判断する判断手段と、
前記判断手段によって、前記ファクシミリ通信データ手段により通信データの出力が行われていると判断された場合に、使用者によって送信指示あるいはプリント指示された通信データあるいはプリンタデータの処理を禁止する禁止手段と、
前記禁止手段により処理が禁止された送信指示あるいはプリント指示を記憶する記憶手段と、
前記判断手段により前記通信データの出力が終了したと判断された際に、前記記憶手段に記憶された送信指示あるいはプリント指示を処理する処理手段と、
前記処理手段により処理された送信指示あるいはプリント指示を前記記憶手段から消去する消去手段と、
を備えたことを特徴とする情報処理装置。
【請求項２】
通信回線を通じてファクシミリ通信を行う機能と画像データに基づいて画像をプリントするプリント機能とを備えた多機能周辺装置が接続され、この多機能周辺装置を用いて前記ファクシミリ通信と前記画像のプリントとを行う情報処理装置であって、
前記通信回線に送出すべき通信データを前記多機能周辺装置に出力するファクシミリ通信データ出力手段と、
記録すべきプリンタデータを前記多機能周辺装置に出力するプリンタデータ出力手段と、
使用者によって送信指示またはプリント指示がなされた場合に、前記ファクシミリ通信データ出力手段によって通信データの前記多機能周辺装置への出力が行われている最中であるか否かを判断する判断手段と、
前記判断手段によって、前記ファクシミリ通信データ出力手段により通信データの前記多機能周辺装置への出力が行われていると判断された場合に、使用者によって送信指示あるいはプリント指示された通信データあるいはプリンタデータの処理を禁止する禁止手段とを備えたことを特徴とする情報処理装置。
【請求項３】
前記禁止手段は、使用者によってなされた送信指示またはプリント指示をなかったものとすることにより通信データまたはプリンタデータの処理を禁止する、請求項２に記載の情報処理装置。
【請求項４】
前記禁止手段は、使用者によってなされた送信指示またはプリント指示を留保することにより通信データまたはプリンタデータの処理を禁止する、請求項２に記載の情報処理装置。
【請求項５】
前記禁止手段によって留保された指示を通信データの出力の終了後に順次実行する、請求項４に記載の情報処理装置。
【請求項６】
前記禁止手段によって、通信データあるいはプリンタデータの処理が禁止された場合に、使用者にその旨を報知する報知手段を備えた、請求項１または２に記載の情報処理装置。
【発明の詳細な説明】
【０００１】
【発明の属する技術分野】
本発明は、通信回線に送出すべき通信データを出力する通信データ出力手段と、記録すべきプリンタデータを出力するプリンタデータ出力手段と、を備えた情報処理装置に関するものである。
【０００２】
【従来の技術】
近年、パーソナルコンピュータ等の情報処理装置にファクシミリモデムを内蔵したファクシミリ装置を接続したりして、パーソナルコンピュータによりファクシミリ通信を行うことが普及しつつある。
【０００３】
一般に、上記ファクシミリ装置は、通信データを出力している最中に送信指示あるいはプリント指示を行うと、上記指示に従って通信データの処理あるいはプリンタデータの処理を行ってしまう。
【０００４】
【発明が解決しようとする課題】
しかしながら、通信データが出力されている最中に他のデータの処理を行うと、元来から出力している通信データの出力速度が減少する。このような場合、通信データの前１ラインの出力終了から次１ラインの出力終了までの時間が所定時間、たとえば３秒を越えることによる通信データの出力エラーが生じる。
【０００５】
本発明は、上記の点に鑑みて提案されたものであって、通信データの出力速度の減少に起因する通信データの出力エラーを起こさない情報処理装置を提供することを目的としている。
【０００６】
【課題を解決するための手段】
上記目的を達成するため、請求項１に記載した発明の情報処理装置は、通信回線に送出すべき通信データを出力するファクシミリ通信データ出力手段と、記録すべきプリンタデータを出力するプリンタデータ出力手段と、を備えた情報処理装置であって、使用者によって送信指示またはプリント指示がなされた場合に、前記ファクシミリ通信データ出力手段によって通信データの出力が行われている最中であるか否かを判断する判断手段と、前記判断手段によって、前記ファクシミリ通信データ手段により通信データの出力が行われていると判断された場合に、使用者によって送信指示あるいはプリント指示された通信データあるいはプリンタデータの処理を禁止する禁止手段と、前記禁止手段により処理が禁止された送信指示あるいはプリント指示を記憶する記憶手段と、前記判断手段により前記通信データの出力が終了したと判断された際に、前記記憶手段に記憶された送信指示あるいはプリント指示を処理する処理手段と、前記処理手段により処理された送信指示あるいはプリント指示を前記記憶手段から消去する消去手段とを備えたことを特徴としている。
【０００７】
この情報処理装置によれば、前記判断手段によって通信データの出力が行われている最中であると判断された場合に、前記禁止手段によって通信データ出力中に指示された送信指示あるいはプリント指示の処理を禁止することにより、前記ファクシミリ通信データ出力手段によって通信データが出力されている最中に、他のデータの処理を行うことにより、通信データの出力速度が減少することはない。すなわち、通信データの前１ラインの出力終了から次１ラインの出力終了までの時間が所定時間、たとえば３秒を越えることによる通信データの出力エラーが生じることはない。また、通信データの出力が終了したのちに、使用者が改めて通信データの送信指示あるいはプリンタデータのプリント指示を行う必要はない。
【０００８】
情報処理装置としては、パーソナルコンピュータ等が考えられる。前記パーソナルコンピュータは、ファクシミリモデム内蔵型でパーソナルコンピュータそれ自体によりＦＡＸ通信を行えるものであってもよいし、ファクシミリモデムを内蔵したファクシミリ装置をケーブルあるいは無線等で接続することによりＦＡＸ通信を行えるものであってもよい。また、通信データおよびプリンタデータには、ワードプロセッサやワードプロセッサソフトを用いて作成された文書や画像が記憶されたテキストデータ、スキャナによって読み込まれた画像のデータおよびコピーデータ等が含まれる。ファクシミリ通信データ出力手段およびプリンタデータ出力手段は、情報処理装置のハードディスク装置内にインストールされた所定のプログラムをプロセサが実行することにより実現する。判断手段および禁止手段は、情報処理装置のハードディスク装置内にインストールされた所定のプログラムをプロセサが実行することにより実現する。
【０００９】
また、請求項２に記載した発明の情報処理装置は、通信回線を通じてファクシミリ通信を行う機能と画像データに基づいて画像をプリントするプリント機能とを備えた多機能周辺装置が接続され、この多機能周辺装置を用いて前記ファクシミリ通信と前記画像のプリントとを行う情報処理装置であって、前記通信回線に送出すべき通信データを前記多機能周辺装置に出力するファクシミリ通信データ出力手段と、記録すべきプリンタデータを前記多機能周辺装置に出力するプリンタデータ出力手段と、使用者によって送信指示またはプリント指示がなされた場合に、前記ファクシミリ通信データ出力手段によって通信データの前記多機能周辺装置への出力が行われている最中であるか否かを判断する判断手段と、前記判断手段によって、前記ファクシミリ通信データ出力手段により通信データの前記多機能周辺装置への出力が行われていると判断された場合に、使用者によって送信指示あるいはプリント指示された通信データあるいはプリンタデータの処理を禁止する禁止手段とを備えたことを特徴としている。
【００１０】
この情報処理装置によれば、通信データが出力されている最中に、他のデータの処理を行うことにより、通信データの出力速度が減少することはない。すなわち、通信データの前１ラインの出力終了から次１ラインの出力終了までの時間が所定時間、たとえば３秒を越えることによる通信データの出力エラーが生じることはない。
【００１１】
また、請求項３に記載した発明の情報処理装置は、請求項２に記載の情報処理装置であって、前記禁止手段は、使用者によってなされた送信指示またはプリント指示をなかったものとすることにより通信データまたはプリンタデータの処理を禁止するものである。
【００１２】
更に、請求項４に記載した発明の情報処理装置は、請求項２に記載の情報処理装置であって、前記禁止手段は、使用者によってなされた送信指示またはプリント指示を留保することにより通信データまたはプリンタデータの処理を禁止するものである。
【００１３】
この情報処理装置によれば、請求項２に記載の情報処理装置の効果に加えて、使用者の意に反して通信データの送信指示あるいはプリンタデータのプリント指示が実行されずに、前記指示がなかったものとされることはない。
【００１４】
また、請求項５に記載した発明の情報処理装置は、請求項４に記載の情報処理装置であって、前記禁止手段によって留保された指示を通信データの出力の終了後に順次実行するものである。
【００１５】
この情報処理装置によれば、請求項４に記載の情報処理装置の効果に加えて、ファクシミリ通信データ出力手段による通信データの出力が終了したのちに、使用者が改めて通信データの送信指示あるいはプリンタデータのプリント指示を行う必要はない。
【００１６】
更に、請求項６に記載した発明の情報処理装置は、請求項１または２に記載の情報処理装置であって、前記禁止手段によって、通信データあるいはプリンタデータの処理が禁止された場合に、使用者にその旨を報知する報知手段を備えたものである。
【００１７】
この情報処理装置によれば、請求項１または２に記載の情報処理装置の効果に加えて、使用者が通信データの出力中になした送信あるいはプリント指示が、実行されなかった旨を使用者に報知できる。
【００１８】
なお、報知手段としては、ブザーや音声合成装置によって使用者に報知してもよいし、ＬＣＤやＬＥＤ表示を行うことにより使用者に報知してもよい。
【００１９】
【００２０】
【発明の実施の形態】
以下、本発明の好ましい実施の形態を、図面を参照しつつ具体的に説明する。
【００２１】
図１は、本発明に係る情報処理装置の一例としてのパーソナルコンピュータに周辺装置を接続した状態の回路ブロック図である。パーソナルコンピュータ１は、いわゆるマルチウインドウを用いたＧＵＩを採用しており、複数のアプリケーションを同時に起動させておくことが可能である。多機能周辺装置（以下「ＭＦＤ」という）２は、ファクシミリ、プリンタ、イメージスキャナ、およびコピー機などの複数の機能を有している。なお、ＭＦＤはマルチ・ファンクション・デバイスの略称である。
【００２２】
パーソナルコンピュータ１は、プロセサ１１、ＲＯＭ１２、ＲＡＭ１３、ゲートアレイ１４、インターフェース１５、ハードディスク装置１６、フレキシブルディスクドライブ１７、表示部１８およびＥＥＰＲＯＭ１９を備えている。プロセサ１１、ＲＯＭ１２、ＲＡＭ１３、ゲートアレイ１４、およびインターフェース１５は、バス線により相互に接続されている。バス線は、データバス、アドレスバス、および制御信号線を含む。
【００２３】
プロセサ１１は、ハードディスク装置１６にインストールされているＯＳや各種のアプリケーションソフトウェアなどのプログラムに基づいて動作し、情報処理を行う。ＲＯＭ１２は、各種のデータなどを記憶している。ＲＡＭ１３は、各種のアプリケーションソフトウェアなどによって利用され、各種のデータなどを記憶する。ゲートアレイ１４は、プロセサ１１とハードディスク装置１６およびフレキシブルディスクドライブ１７との間のインターフェースとして機能する。インターフェース１５は、たとえばＲＳ−２３２Ｃなどの規格に基づいて、パーソナルコンピュータ１とＭＦＤ２との間のデータの送受信を制御する。ハードディスク装置１６は、各種のアプリケーションソフトウェアのプログラムなどを記憶する。フレキシブルディスクドライブ１７は、フレキシブルディスクの内容を読み出す。表示部１８は、ＬＣＤ等からなり、プロセサ１１により制御されて各種の表示を行う。
【００２４】
ＭＦＤ２は、ＣＰＵ２１、ＲＡＭ２２、ＲＯＭ２３、ゲートアレイ２４、インターフェース２５、スキャナ２６、プリンタ２７、およびモデム２８を備えている。ＣＰＵ２１、ＲＡＭ２２、ＲＯＭ２３、ゲートアレイ２４、およびインターフェース２５は、バス線により相互に接続されている。バス線は、データバス、アドレスバス、および制御信号線を含む。インターフェース２５は、ケーブル３１を介してパーソナルコンピュータ１のインターフェース１５に接続されており、モデム２８には、電話回線３２が接続されている。
【００２５】
ＣＰＵ２１は、ＭＦＤ２全体を制御する。ＲＡＭ２２は、各種のデータを記憶する。ＲＯＭ２３は、ＭＦＤ２を制御するためのプログラムなどを記憶している。ゲートアレイ２４は、ＣＰＵ２１とスキャナ２６、プリンタ２７、およびモデム２８との間のインターフェースとして機能する。インターフェース２５は、たとえばＲＳ−２３２Ｃなどの規格に基づいて、パーソナルコンピュータ１とＭＦＤ２との間のデータの送受信を制御する。スキャナ２６は、原稿の画像を読み取って画像信号に変換する。プリンタ２７は、画像データに基づいて画像をプリントする。モデム２８は、ファクシミリ通信の送受信に際して、送信データにより搬送波を変調し、また受信搬送波を復調して受信データを取り出す。
【００２６】
パーソナルコンピュータ１のハードディスク装置１６には、ＭＦＤ２のモデム２８を用いてパーソナルコンピュータ１と他のファクシミリ装置などとの間でファクシミリ通信を行わせたり、プリンタ２７を用いてパーソナルコンピュータ１で作成した文書や画像を印刷させたり、スキャナ２６を用いて読み取らせた画像信号をパーソナルコンピュータ１に取り込んだりという、各種の機能を実現するためのＭＦＤ制御アプリケーションソフトウェアがインストールされている。このＭＦＤ制御アプリケーションソフトウェアは、フレキシブルディスクドライブ１７にフレキシブルディスクを挿入して所定の操作を行うことにより、ハードディスク装置１６にインストールされる。このＭＦＤ制御アプリケーションソフトウェアは、テキストデータをビットマップデータに変換するなどのデータ変換を行うＦＡＸドライバと呼ばれるソフトウェア、通信履歴を管理および表示するログマネージャと呼ばれるソフトウェア、およびパーソナルコンピュータ１とＭＦＤ２との間のデータの送受を管理するステータスモニタと呼ばれるソフトウェアなどにより構成されている。
【００２７】
すなわち、プロセサ１１およびハードディスク装置１６は、通信回線に送出すべき通信データを出力するファクシミリ通信データ出力手段を構成している。プロセサ１１およびハードディスク装置１６は、記録すべきプリンタデータを出力するプリンタデータ出力手段を構成している。プロセサ１１およびハードディスク装置１６は、使用者によって送信指示またはプリント指示がなされた場合に、前記ファクシミリ通信データ出力手段によって通信データの出力が行われている最中であるか否かを判断する判断手段を構成している。プロセサ１１、ハードディスク装置１６およびＥＥＰＲＯＭ１９は、前記判断手段によって通信データの出力が行われていると判断された場合に、使用者によって送信指示あるいはプリント指示された通信データあるいはプリンタデータの処理を禁止する禁止手段を構成している。表示部１８は、前記禁止手段によって、通信データあるいはプリンタデータの処理が禁止された場合に、使用者にその旨を報知する報知手段を構成している。
【００２８】
次に、このように構成された情報処理装置の動作について説明する。先ず、通信データ出力手段について説明する。使用者の指示に従ってプロセサ１１が所定のデータをハードディスク装置１６から読み出し、一旦ＲＡＭ１３に記憶させる。ＲＡＭ１３に記憶されたデータは順次ファックスドライバによって２値展開され、順次ＭＦＤ２のモデム２８に出力される。使用者によって送信指示またはプリント指示がなされた場合に、ファックスドライバがステイタスモニタに前記通信データ出力手段によって通信データの出力が行われている最中であるか否かを問い合わせる。ステイタスモニタは、前記問い合わせに対して通信データの出力が行われている最中であるか否かを自己判断し、その結果をファックスドライバに伝達する。プロセサ１１がステイタスモニタに対する問い合わせの結果によって通信データの出力が行われていると判断した場合には、使用者によって送信指示あるいはプリント指示された通信データあるいはプリンタデータの処理を禁止する。使用者によってなされた指示内容は、ログマネージャーがログファイルに記憶させ、前記通信データ出力手段による通信データの出力が終了ししだい前記指示内容を実行する。
【００２９】
次に、プリント処理の手順について、図２に示すフローチャートを参照しながら説明する。
【００３０】
先ず、プロセサ１１が使用者によってテキストデータ等のプリント指示がなされたか否かを判断する（Ｓ１）。プロセサ１１が使用者によってプリント指示がなされたと判断した場合には（Ｓ１：ＹＥＳ）、プロセサ１１がＭＦＤ２のモデム２８に通信データを出力中であるか否かを判断する（Ｓ２）。
【００３１】
プロセサ１１が、モデム２８に通信データを出力中であるかと判断した場合（Ｓ２：ＹＥＳ）、すなわち使用者によってなされたプリント指示に基づく処理が行えないということであるので、プロセサ１１が使用者によってなされたプリント指示をハードディスク装置１６に記憶させ（Ｓ３）、このルーチンを終了する。
【００３２】
また、Ｓ１において使用者によってプリント指示がなされなかった場合（Ｓ１：ＮＯ）、およびＳ２においてプロセサ１１がモデム２８に通信データを出力中でないと判断し（Ｓ２：ＮＯ）、使用者の指示に基づいて後述するプリントデータの記録用紙上へのプリントが終了した場合にも（Ｓ４）、このルーチンを終了する。
【００３３】
次に、送信処理の手順について、図３に示すフローチャートを参照しながら説明する。
【００３４】
先ず、プロセサ１１が使用者によってテキストデータ等の送信指示がなされたか否かを判断する（Ｓ１０）。プロセサ１１が使用者によって送信指示がなされたと判断した場合には（Ｓ１０：ＹＥＳ）、プロセサ１１がＭＦＤ２のモデム２８に通信データを出力中であるか否かを判断する（Ｓ１１）。
【００３５】
プロセサ１１が、モデム２８に通信データを出力中であるかと判断した場合（Ｓ１１：ＹＥＳ）、すなわち使用者によってなされた送信指示に基づく処理が行えないということであるので、プロセサ１１が使用者によってなされた送信指示をハードディスク装置１６に記憶させ、このルーチンを終了する。
【００３６】
また、Ｓ１０において使用者によって送信指示がなされなかった場合（Ｓ１０：ＮＯ）、およびＳ１１においてプロセサ１１がモデム２８に通信データを出力中でないと判断し（Ｓ１１：ＮＯ）、使用者の指示に基づいて後述するファックスデータの送信が終了した場合にも（Ｓ１３）、このルーチンを終了する。
【００３７】
次に、留保指示の処理について、図４に示すフローチャートを参照しながら説明する。
【００３８】
先ず、プロセサ１１がハードディスク装置１６内にプリント指示が記憶されているか否かを判断する（Ｓ２０）。プロセサ１１がハードディスク装置１６内にプリント指示が記憶されていると判断した場合には（Ｓ２０：ＹＥＳ）、プロセサ１１がＭＦＤ２のモデム２８に通信データを出力中であるか否かを判断する（Ｓ２１）。
【００３９】
プロセサ１１が、モデム２８に通信データを出力中であると判断した場合（Ｓ２１：ＹＥＳ）、すなわちプリント指示基づく処理が行えないと判断された場合には、プロセサ１１によってモデム２８に通信データを出力中でないと判断されるまで（Ｓ２１：ＮＯ）、すなわちプリント指示に基づく処理が行える状態になるまで上記判断を繰り返す。
【００４０】
Ｓ２１において、プロセサ１１がモデム２８に通信データを出力中でないと判断した場合（Ｓ２１：ＮＯ）、すなわちプリント指示に基づく処理が行えるということであるので、使用者の指示に基づいて後述するプリントデータの記録用紙上への記録を行う（Ｓ２２）。なお、本実施形態においては、ＥＥＰＲＯＭ１９内に記憶された１つの指示が通信データの出力終了後に実行された場合には、実行された指示内容は順次ハードディスク装置１６内から消去される。
【００４１】
Ｓ２２において、使用者の指示の実行、すなわちプリントデータの記録用紙上への記録が終了した場合には、Ｓ２０に戻ってプロセサ１１がハードディスク装置１６内にプリント指示の記憶がないかを確認し（Ｓ２０）、プリント指示の記憶がある場合には（Ｓ２０：ＹＥＳ）、上記と同様にプリントデータの記録用紙上への記録を行う（Ｓ２２）。
【００４２】
Ｓ２０において、プロセサ１１がプリント指示の記憶がないと判断した場合には（Ｓ２０：ＮＯ）、続いてプロセサ１１がハードディスク装置１６内に送信指示の記憶があるか否かを判断する（Ｓ２３）。
【００４３】
プロセサ１１が、送信指示の記憶があると判断した場合には（Ｓ２３：ＹＥＳ）、プロセサ１１がＭＦＤ２のモデム２８に通信データを出力中であるか否かを判断する（Ｓ２４）。
【００４４】
プロセサ１１が、モデム２８に通信データを出力中であると判断した場合には（Ｓ２４：ＹＥＳ）、プロセサ１１によってモデム２８に通信データを出力中でないと判断されるまで（Ｓ２４：ＮＯ）、すなわち送信指示に基づく処理が行える状態になるまで上記判断を繰り返す。
【００４５】
Ｓ２４において、プロセサ１１がモデム２８に通信データを出力中でないと判断した場合には（Ｓ２１：ＮＯ）、送信指示に基づく処理が行えるということであるので、使用者の指示に基づいて後述するファックスデータの送信を行う（Ｓ２５）。
【００４６】
Ｓ２５において、使用者の指示の実行、すなわちファックスデータの送信が終了した場合には、Ｓ２０に戻ってプロセサ１１がハードディスク装置１６内にプリント指示の記憶がないかを確認し（Ｓ２０）、同様の動作を繰り返す。
【００４７】
Ｓ２３において、プロセサ１１がハードディスク装置１６内に送信指示の記憶がないと判断した場合には（Ｓ２３：ＮＯ）、このルーチンを終了する。
【００４８】
次に、図２のＳ４、および図４のＳ２２のプリントについて簡単に説明する。各種アプリケーションソフトによって作成されたテキストデータ等のプリントデータは、ハードディスク装置１６から読み出されてファックスドライバによって２値展開され、バス線およびインターフェイス１５、２５を介してプリンタ２７に送られる。プリンタ２７に送られた２値展開されたプリンタデータは、記録用紙上に記録される。
【００４９】
次に、図３のＳ１３、および図４のＳ２５の送信について簡単に説明する。各種アプリケーションソフトによって作成されたテキストデータ等の送信データは、ハードディスク装置１６から読み出されてファックスドライバによって２値展開され、バス線およびインターフェイス１５、２５を介してモデム２８に送られる。モデム２８に送られた２値展開された送信データは変調され、電話回線３２を介して送信される。
【００５０】
なお、上記実施形態では、プロセサ１１によるプリント指示がハードディスク装置１６内に記憶されているか否の判断を、送信指示がハードディスク装置１６内に記憶されているか否の判断に先んじて行ったが、上記２つ判断の順序は問わない。
【００５１】
また、図２のＳ３および図３のＳ１２において、ハードディスク装置１６内にプリント指示または送信指示が記憶された場合に、ブザーやＬＣＤ表示等の手段により、使用者に指示内容を実行せずにハードディスク装置１６内に指示内容を記憶させた旨を報知するようにしてもよい。
【００５２】
更に、使用者によるプリント指示または送信指示をハードディスク装置１６内に記憶することにより留保せずに、前記指示がなかったものとして通信データの出力を継続するような構成にしてもよい。
【００５３】
【発明の効果】
以上説明したように請求項１に記載した発明の情報処理装置によれば、前記判断手段によって通信データの出力が行われている最中であると判断された場合に、前記禁止手段によって通信データ出力中に指示された送信指示あるいはプリント指示の処理を禁止することにより、前記ファクシミリ通信データ出力手段によって通信データが出力されている最中に、他のデータの処理を行うことにより、通信データの出力速度が遅延することはない。すなわち、通信データの前１ラインの出力終了から次１ラインの出力終了までの時間が所定時間、たとえば３秒を越えることによる通信データの出力エラーが生じることはない。また、通信データの出力が終了したのちに、使用者が改めて通信データの送信指示あるいはプリンタデータのプリント指示を行う必要はない。
【００５４】
また、請求項２に記載した発明の情報処理装置によれば、通信データが出力されている最中に、他のデータの処理を行うことにより、通信データの出力速度が減少することはない。すなわち、通信データの前１ラインの出力終了から次１ラインの出力終了までの時間が所定時間、たとえば３秒を越えることによる通信データの出力エラーが生じることはない。
【００５５】
更に、請求項３に記載した発明の情報処理装置によれば、請求項２に記載の情報処理装置の効果に加えて、前記禁止手段は、使用者によってなされた送信指示またはプリント指示をなかったものとすることにより通信データまたはプリンタデータの処理を禁止できる。
【００５６】
また、請求項４に記載した発明の情報処理装置によれば、請求項２に記載の情報処理装置の効果に加えて、使用者の意に反して通信データの送信指示あるいはプリンタデータのプリント指示が実行されずに、前記指示がなかったものとされることはない。
【００５７】
更に、請求項５に記載した発明の情報処理装置によれば、請求項４に記載の情報処理装置の効果に加えて、ファクシミリ通信データ出力手段による通信データの出力が終了したのちに、使用者が改めて通信データの送信指示あるいはプリンタデータのプリント指示を行う必要はない。
【００５８】
また、請求項６に記載した発明の情報処理装置によれば、請求項１または２に記載の情報処理装置の効果に加えて、使用者が通信データの出力中になした送信あるいはプリント指示が、実行されなかった旨を使用者に報知できる。
【図面の簡単な説明】
【図１】  本発明に係る情報処理装置の一例としてのパーソナルコンピュータに周辺機器を接続した状態の回路ブロック図である。
【図２】  図１に示す情報処理装置によるプリント処理の手順を説明するフローチャートである。
【図３】  図１に示す情報処理装置による送信処理の手順を説明するフローチャートである。
【図４】  図１に示す情報処理装置による留保指示処理の手順を説明するフローチャートである。
【符号の説明】
１    パーソナルコンピュータ
２    ＭＦＤ
１１  プロセサ
１６  ハードディスク装置
２７  プリンタ
２８  モデム
【図１】
0003834870.tif 000002
【図２】
0003834870.tif 000003
【図３】
0003834870.tif 000004
【図４】
0003834870.tif 000005